(57)【要約】【課題】簡易な回路の構成で複数のＬＥＤ照明装置を制御することができるとともに、通常の照明装置を同時に駆動することができて、従来の照明装置の配線を利用する制御もできるＬＥＤ照明制御システムを提供する。【解決手段】ＬＥＤ照明制御システム１００は、外部から入力されるＬＥＤ素子の制御信号４０と、制御信号４０により交流電力を変調する変調回路３０ａからなる変調ユニット３０と、変調ユニット３０からの変調交流電力が入力される少なくとも一つのＬＥＤ照明装置とで構成されている。また、ＬＥＤ照明装置は、変調交流電力から制御信号を復調する復調回路を備え、変調交流電力が入力される点灯回路で制御信号に従いＬＥＤ素子を制御する。 【選択図】図１
2015128034.tif 000002
【特許請求の範囲】
【請求項１】
外部から入力されるＬＥＤ素子の制御信号と、
前記制御信号により交流電力を変調する変調回路からなる変調ユニットと、
前記変調ユニットからの変調交流電力が入力される少なくとも一つのＬＥＤ照明装置とで構成され、
前記ＬＥＤ照明装置は、前記変調交流電力から制御信号を復調する復調回路を備え、
前記変調交流電力が入力される点灯回路で前記制御信号に従いＬＥＤ素子を制御することを特徴とするＬＥＤ照明制御システム。
【請求項２】
請求項１に記載されたＬＥＤ照明制御システムであって、
前記変調回路は前記制御信号に従い設定された時間で、前記交流電力のゼロクロス点近傍において交流電力出力を出力しないゼロ出力を行う変調を行い、
前記復調回路は前記変調交流電力のゼロクロス点近傍においてゼロ出力の時間を計測して、ゼロ出力の時間から前記制御信号に復調することを特徴とするＬＥＤ照明制御システム。
【請求項３】
請求項１に記載されたＬＥＤ照明制御システムであって、
前記変調回路は前記制御信号に従い設定されたゼロ出力の有無で、前記交流電力のゼロクロス点近傍において交流電力出力を出力しないゼロ出力の有無による変調を行い、
前記復調回路は前記変調交流電力のゼロクロス点近傍においてゼロ出力の有無を判断して、ゼロ出力の有無から前記制御信号に復調することを特徴とするＬＥＤ照明制御システム。
【発明の詳細な説明】
【技術分野】
【０００１】
本発明は、ＬＥＤ素子を光源に使用したＬＥＤ照明装置に係わり、特に制御信号によってＬＥＤ照明装置の光出射を制御できるＬＥＤ照明制御システムに関するものである。
【背景技術】
【０００２】
近年、環境意識の高まりから、省電力化に優れたＬＥＤ素子を光源に使用したＬＥＤランプが盛んに用いられるようになってきた。特に最近は、既設の調光器をそのまま利用してＬＥＤ駆動回路を制御し調光可能とするＬＥＤ照明装置が開発されている。
【０００３】
例えば、特許文献１には、交流電源の交流電流の位相をトライアックにより制御するトライアック調光器と、トライアック調光器により位相制御された交流電流を整流する整流回路と、整流回路で整流された電流の内の所定周波数以下の電流を通過させる低域フィルタと、コンデンサの両端に接続されたトランスの一次巻線とスイッチング素子との直列回路と、スイッチング素子を一定のオン幅でオン／オフさせることにより低域フィルタからの電流をパルス電流に変換する制御回路と、二次巻線に流れるパルス電流を整流平滑する整流平滑回路の出力両端に直列に接続された複数のＬＥＤ素子を有するＬＥＤ照明回路が開示されている。
【０００４】
しかしながら、上記特許文献１に記載されているＬＥＤ照明回路においては、トライアック調光器により位相制御された交流電流を整流する整流回路の出力に従って、複数のＬＥＤ素子の調光を行っている。
そのため、交流電流を整流する整流回路の出力により、複数のＬＥＤ素子の調光と通常の照明装置の駆動を同時に行う場合、位相制御された交流電流のため、通常の照明装置をこの交流電流で直接駆動することが、難しいＬＥＤ照明回路となっている。
【先行技術文献】
【特許文献】
【０００５】
【特許文献１】特開２０１１−２８９５４号公報
【発明の概要】
【発明が解決しようとする課題】
【０００６】
本発明が解決しようとする課題は、上記の問題点に鑑み、簡易な回路の構成で複数のＬＥＤ照明装置を制御することができるとともに、通常の照明装置を同時に駆動することができるＬＥＤ照明制御システムを提供する。さらに、従来の照明装置の配線を利用しての制御もできるＬＥＤ照明制御システムを提供することにある。
【課題を解決するための手段】
【０００７】
本発明は、上記の課題を解決するための第１の手段として、外部から入力されるＬＥＤ素子の制御信号と、制御信号により交流電力を変調する変調回路からなる変調ユニットと、変調ユニットからの変調交流電力が入力される少なくとも一つのＬＥＤ照明装置とで構成され、ＬＥＤ照明装置は、変調交流電力から制御信号を復調する復調回路を備え、変調交流電力が入力される点灯回路で制御信号に従いＬＥＤ素子を制御することを特徴とするＬＥＤ照明制御システムを提供するものである。
【０００８】
本発明は、上記の課題を解決するための第２の手段として、上記第１の解決手段において、変調回路は制御信号に従い設定された時間で、交流電力のゼロクロス点近傍において交流電力出力を出力しないゼロ出力を行う変調を行い、復調回路は変調交流電力のゼロクロス点近傍においてゼロ出力の時間を計測して、ゼロ出力の時間から制御信号に復調するこを特徴とするＬＥＤ照明制御システムを提供するものである。
【０００９】
本発明は、上記の課題を解決するための第３の手段として、上記第１の解決手段において、変調回路は制御信号に従い設定されたゼロ出力の有無で、交流電力のゼロクロス点近傍において交流電力出力を出力しないゼロ出力の有無による変調を行い、復調回路は変調交流電力のゼロクロス点近傍においてゼロ出力の有無を判断して、ゼロ出力の有無から制御信号に復調することを特徴とするＬＥＤ照明制御システムを提供するものである。
【発明の効果】
【００１０】
本発明によれば、制御信号により交流電力を変調する合成ユニットと、ＬＥＤ照明装置が交流電力線で接続され、変調交流電力から制御信号を復調した制御信号に基づき制御するＬＥＤ照明装置からなるＬＥＤ照明制御システムが構成されている。
それによって、簡易な回路の構成で複数のＬＥＤ照明装置を制御することができるとともに、通常の照明装置を同時に駆動することができるＬＥＤ照明制御システムを提供する。さらに、従来の照明装置の配線を利用する制御もできるＬＥＤ照明制御システムを提供することにある。
また、制御信号に対して、交流電力の半波毎に制御信号の設定を確認してＬＥＤ照明装置を制御することもできるので、制御信号に即応した制御をすることができる。
【図面の簡単な説明】
【００１１】
【図１】本発明のＬＥＤ照明制御システムの送り接続概略構成図である。
【図２】本発明のＬＥＤ照明制御システムの並列接続概略構成図である。
【図３】本発明に用いられるＬＥＤ照明装置Ａ概略構成図である。
【図４】本発明に用いられるＬＥＤ照明装置Ｂ概略構成図である。
【図５】本発明に用いられる実施例１の電力変調回路波形図である。
【図６】本発明に用いられる実施例１の制御信号分配器波形図である。
【図７】本発明に用いられる実施例２の電力変調回路波形図である。
【図８】本発明に用いられる実施例２の制御信号分配器波形図である。
【発明を実施するための形態】
【００１２】
以下に本発明の好適な実施の形態について、図面を参照しながら詳細に説明する。なお本実施形態は一例であり、これに限定されるものではない。
ＬＥＤ照明制御システム１００の一例として、交流電力を制御信号で変調し、交流電力線に接続されている複数のＬＥＤ照明装置において、変調交流電力から制御信号を復調してＬＥＤ照明装置を制御している場合について説明する。
【００１３】
（１．ＬＥＤ照明制御システム）
ＬＥＤ照明制御システム１００は、図１と図３に示すように、商用電源１０からの交流電力をＯＮ／ＯＦＦ動作する片切りスイッチの壁スイッチ２０を経由して変調ユニット３０に入力されて、操作パネル３０ｂ等からの制御信号４０で交流電力を変調する。変調された変調交流電力は、交流電力線を通じて送り接続されている、複数のＬＥＤ照明装置Ａ、５２と通常の照明装置５６に、入力される。複数のＬＥＤ照明装置Ａ、５２は、変調交流電力から制御信号６０ａを復調して、復調した制御信号６０ａに基づいてＬＥＤ素子を制御し、光を出射させる。このように、ＬＥＤ照明制御システム１００は、制御信号４０に従って、複数のＬＥＤ照明装置Ａ、５２を制御することができる。
また、制御信号４０により変調された変調交流電力が入力された照明装置５６は、変調交流電力に対応して制御される機能を有していないので、通常の照明装置５６として光を出射する動作を行う。
【００１４】
さらに、ＬＥＤ照明制御システム１００は、図２と図４に示すように、商用電源１０からの交流電力をＯＮ／ＯＦＦ動作する片切りスイッチの壁スイッチ２０を経由して変調ユニット３０に入力されて、操作パネル３０ｂ等からの制御信号４０で交流電力を変調する。変調された変調交流電力は、交流電力線を通じて並列接続されている、複数のＬＥＤ照明装置Ｂ、５５と通常の照明装置５６に、入力される。複数のＬＥＤ照明装置Ｂ、５５は、変調交流電力から制御信号６０ａを復調して、復調した制御信号６０ａに基づいてＬＥＤ素子を制御し、光を出射させる。このように、ＬＥＤ照明制御システム１００は、制御信号４０に従って、複数のＬＥＤ照明装置Ｂ、５５を制御することができる。
また、制御信号が変調された変調交流電力が入力された照明装置５６は、制御信号に対応する機能を有していないので、通常の照明装置５６として光を出射する動作を行う。
【００１５】
（２．合成ユニット）
変調ユニット３０は、図１と図２に示すように、ＬＥＤ素子を制御する制御信号４０を入力する操作パネル３０ｂと、操作パネル３０ｂからの制御信号４０で交流電力を変調する変調回路３０ａで構成される。
変調回路３０ａは、交流電力を制御信号４０で変調し、変調された変調交流電力は、交流電力線でＬＥＤ照明装置Ａ、５２、ＬＥＤ照明装置Ｂ、５５や照明装置５６へ送電される。変調交流電力には、交流電力と制御信号の情報が変調されて合わされていることとなる。
なお、操作パネルを既存の調光器や調光センサに変更して、ＬＥＤ照明制御システム１００を構成しても対応することも可能である。
【００１６】
（３．ＬＥＤ照明装置Ａ）
図１に示すように、複数のＬＥＤ照明装置Ａ、５２と照明装置５６は、交流電力線に送り接続されており、変調ユニット３０からの変調交流電力が送電される。ＬＥＤ照明装置Ａ、５２は、図３に示すように、入力端子５２ａから入力される変調交流電力から制御信号６０ａを復調する復調回路６０と、復調回路６０により復調された制御信号６０ａによりＬＥＤ素子８０の制御を行う点灯回路７０と、点灯回路７０により駆動させられるＬＥＤ素子８０により構成されている。複数のＬＥＤ照明装置Ａ、５２と送り端子５２ｂにより変調交流電力の送り接続することが可能な構成なので、新たにＬＥＤ照明装置Ａ、５２の追加や設置を行うときの工数を削減することが可能となる。また、現状の交流電力線が送り接続されている照明装置の置き換えを行う場合に、現状の配線を生かして簡単に照明装置の交換を行うことが可能となる。
【００１７】
ＬＥＤ照明装置の復調回路６０により、変調交流電力を復調して制御信号６０ａを取り出し、制御信号６０ａを点灯回路７０のＬＥＤ駆動回路７０ｃに入力することにより、ＬＥＤ素子８０を制御する。
これにより、制御信号４０により交流電力を変調した変調交流電力を復調して制御信号６０ａとして制御するので、複数のＬＥＤ照明装置Ａ、５２が、制御信号４０に従ってＬＥＤ素子８０を制御することができる。
【００１８】
（４．ＬＥＤ照明装置Ｂ）
図２に示すように、複数のＬＥＤ照明装置Ｂ、５５と照明装置５６は、交流電力線に並列接続されており、変調ユニット３０からの変調交流電力が送電される。ＬＥＤ照明装置Ｂ、５５は、図４に示すように、入力端子５５ａから入力される変調交流電力から制御信号６０ａを復調する復調回路６０と、復調回路６０により復調された制御信号６０ａによりＬＥＤ素子８０の制御を行う点灯回路７０と、点灯回路７０により駆動させられるＬＥＤ素子８０で構成されている。複数のＬＥＤ照明装置Ｂ、５５と変調交流電力に並列接続することが可能な構成なので、新たにＬＥＤ照明装置Ｂ、５５の追加や設置を行うときの工数を削減することが可能となる。また、現状の変調交流電力線に並列接続されている照明装置の置き換えを行う場合に、現状の配線を生かして簡単に照明装置の交換を行うことが可能となる。
【００１９】
ＬＥＤ照明装置の復調回路６０により、変調交流電力を復調して制御信号６０ａを取り出し、制御信号６０ａを点灯回路７０のＬＥＤ駆動回路７０ｃに入力することにより、ＬＥＤ素子８０を制御することができる。
これにより、制御信号４０により交流電力を変調した変調交流電力を復調して制御信号６０ａとして制御するので、複数のＬＥＤ照明装置Ｂ、５５が、制御信号４０に従ってＬＥＤ素子８０を制御することができる。
【００２０】
（５．点灯回路）
点灯回路７０は、ＬＥＤ照明装置Ａ、５２とＬＥＤ照明装置Ｂ、５５において、共通であり、図３、図４に示すように、制御信号４０で変調された変調交流電力を直流電力に整流する整流回路７０ａと、直流電力の高調波電流成分を抑える力率改善回路７０ｂと、ＬＥＤ素子８０を制御信号６０ａにより制御して駆動するＬＥＤ駆動回路７０ｃで構成されている。
点灯回路７０には、交流電力が制御信号４０により変調された変調交流電力が入力される。変調交流電力は、制御信号によりゼロクロス点近傍で所定の時間において、変調交流電力がゼロ出力となる部分が存在する。しかし、ゼロクロス点近傍からの短い時間（周期の１０％以下）のみを変調しているので、ゼロ出力となる部分が少ないうえに、点灯回路７０で交流から直流に変換されるので、ＬＥＤ素子８０を駆動するＬＥＤ駆動回路７０ｃに影響を与えることはない。
【００２１】
（６．変調復調方式）
本ＬＥＤ照明制御システム１００における、交流電力を制御信号で変調した変調交流電力を送電し、各ＬＥＤ照明装置において変調交流電力より制御信号を復調する変調復調の２方式について、図面を用いて詳細に説明する。
【００２２】
（６．−１  時間方式）
交流電力を変調復調する第１の方法は、制御信号に従い設定された時間で、交流電力の半波毎のゼロクロス点近傍で交流電力出力を出力しないゼロ出力を行う変調を行い、変調された交流電力の半波毎のゼロクロス点近傍において、変調交流電力のゼロ出力の時間を計測して、ゼロ出力の時間から制御信号に復調する方法である。
【００２３】
（６．−２  実施例１）
具体的には、壁スイッチ２０がＯＮに操作されて、操作パネル３０ｂより５０％で調光させる制御信号４０が、変調回路３０ａに入力されている場合についてのＬＥＤ照明制御システム１００の変調復調動作について、図５、図６を用いて説明する。
図５（ａ）は、変調前の交流電力波形で、ｆ＝５０Ｈｚ（１周期が２０ｍｓ）のＳＩＮ波形である。図１に記載の変調回路３０ａに入力される波形を示している。
図５（ｂ）は、変調後の交流電力波形で、５０％で調光させる場合は、半波毎のゼロクロス点近傍から時間０．５ｍｓの間は、交流電力をゼロ出力となるように、交流電力を変調する。図１に記載の変調回路３０ａを通過した後における波形を示している。
この変調回路３０ａは、回路により構成しても、マイコンを用いて構成しても、回路とマイコンにより構成しても良い。
【００２４】
この変調された交流電力を、図１に示すように、複数のＬＥＤ照明装置Ａ、５２と照明装置５６に交流電力線の送り接続により送電される。
図６（ａ）は、ＬＥＤ照明装置Ａ、５２に入力される変調交流電力波形で、制御信号４０に基づいて変調されていて、半波毎のゼロクロス点近傍から０．５ｍｓの間は、交流電力がゼロ出力となっている。
変調された変調交流電力の復調動作は、図３に示す復調回路６０において、変調交流電力の半波毎のゼロクロス点近傍において、変調交流電力のゼロ出力の時間を計測する。図６（ｂ）に示すように、変調交流電力の半波毎のゼロクロス点近傍から、変調交流電力におけるゼロ出力の時間より充分小さいサンプリング時間である０．０５ｍｓ毎に、変調交流電力がゼロ出力かを判定する。計測したゼロ出力の時間である０．５ｍｓの計測時間から、復調回路６０で、変調設定された制御信号４０は５０％調光の設定であることが判断される。復調された制御信号６０ａは、点灯回路７０のＬＥＤ駆動回路７０ｃに５０％調光する指示をし、復調された制御信号６０ａの５０％調光の制御信号６０ａに従い、ＬＥＤ駆動回路７０ｃでは、ＬＥＤ素子８０を５０％の明るさに調光して点灯させる。
この復調回路６０は、回路で構成しても、マイコンを用いて構成しても、回路とマイコンで構成しても良い。
【００２５】
また、交流電力線により接続されている制御機能を有しない通常の照明装置５６には、制御信号４０により変調された変調交流電力が入力されるが、変調交流電力には、変調により半波毎にゼロクロス点近傍から所定の時間において、交流電力がゼロ出力となる部分が存在することになる。しかし、ゼロクロス点近傍の短い時間（周期の１０％以下）のみを用いて変調しているので、ゼロ出力となる部分が少ないので、照明装置５６を駆動することに影響を与えることはない。
さらに、本実施例１では、半波毎のゼロクロス点近傍の初期部分を変調しているが、半波毎のゼロクロス点近傍の後期部分を変調して、復調しても同様な効果を得ることができる。
【００２６】
このＬＥＤ照明制御システム１００の動作により、簡易な回路の構成で複数のＬＥＤ照明装置を制御し、従来の配線を利用することができ、通常の照明装置を同時に使用することができるＬＥＤ照明制御システムを提供することができる。
また、制御信号４０で変調した変調交流電力を半波毎に確認して制御しているので、制御信号の変化に即応した制御をすることができる。
【００２７】
（６．−３  符号方式）
交流電力を変調復調する第２の方法は、制御信号に従い設定されたゼロ出力の有無で、前記交流電力の半波毎のゼロクロス点近傍で出力しないゼロ出力の有無による変調を行い、変調交流電力の半波毎のゼロクロス点近傍において、変調された変調交流電力のゼロ出力の有無を判断して、ゼロ出力の有無から設定された制御信号に復調する方法である。
【００２８】
（６．―４  実施例３）
具体的には、壁スイッチ２０がＯＮに操作されて、操作パネル３０ｂより７０％で調光させる制御信号４０が、変調回路３０ａに入力されている場合についてのＬＥＤ照明制御システム１００の変調復調動作について、図７、図８を用いて説明する。
図７（ａ）は、変調前の交流電力波形で、ｆ＝５０Ｈｚ（１周期が２０ｍｓ）のＳＩＮ波形である。図１に記載の変調回路３０ａに入力される波形を示している。
図７（ｂ）は、変調後の交流電力波形で、７０％で調光させる場合は、半波毎のゼロクロス点近傍から時間０．３ｍｓの間は、ゼロ出力の有無により、交流電力を変調する。制御信号４０は、交流電力の４つの半波を用いて符号化している。７０％の調光の信号の場合には、有のゼロ出力を３回出力して、次に無のゼロ出力なしを１回出力する４ビット信号により、調光信号を交流電力に変調している。図１に記載の変調回路３０ａを通過した後における波形を示している。変調交流電力に変調された調光信号を識別するために、調光信号を変調させる前にゼロ出力を設定回数出力した後に、変調出力するようにして、調光信号は一定の間隔で符号化して、交流電力を変調する。
この変調回路３０ａは、回路で構成しても、マイコンを用いて構成しても、回路とマイコンにより構成しても良い。
【００２９】
この変調された交流電力を、図１に示すように、複数のＬＥＤ照明装置Ａ、５２と照明装置５６に交流電力線の送り接続により送電される。
図８（ａ）は、ＬＥＤ照明装置Ａ、５２に入力される交流電力波形で、制御信号４０に基づいて変調されていて、半波毎のゼロクロス点近傍から０．３ｍｓの間は、交流電力がゼロ出力となっている。
変調された変調交流電力の復調動作は、図３に示すように、復調回路６０において、変調された変調交流電力の半波毎のゼロクロス点近傍において、変調された変調交流電力のゼロ出力の時間を計測する。図８（ｂ）に示すように、変調された変調交流電力の半波毎のゼロクロス点近傍から、変調されたゼロ出力の時間より充分小さいサンプリング時間である０．０５ｍｓ毎に、変調された変調交流電力がゼロ出力かを判定する。計測したゼロ出力の時間の０．３ｍｓから、復調回路６０で、変調設定された制御信号４０は、“１”の設定であることが判断される。図７（ｂ）に示すように、順次判定して、“１”、“１”、“１”、“０”の４ビットの判定信号から、７と復調された制御信号６０ａは、点灯回路７０のＬＥＤ駆動回路７０ｃに７０％調光する指示をし、復調された制御信号６０ａの７０％調光の制御信号に従い、ＬＥＤ駆動回路７０ｃでは、ＬＥＤ素子８０を７０％の明るさに調光して点灯させる。
この復調回路６０は、回路で構成しても、マイコンを用いて構成しても、回路とマイコンにより構成しても良い。
【００３０】
また、交流電力線により接続されている制御機能を有しない通常の照明装置５６には、交流電力が制御信号４０により変調された変調交流電力が入力される。変調交流電力には、調光信号により半波毎にゼロクロス点近傍から所定の時間において、交流電力がゼロ出力となる部分が存在することになる。しかし、ゼロクロス点近傍の短い時間（周期の１０％以下）のみを用いて変調しているので、ゼロ出力となる部分が少ないので、照明装置５６を駆動することに影響を与えることはない。
さらに、本実施例２では、半波毎のゼロクロス点近傍の初期部分を変調しているが、半波毎のゼロクロス点近傍の後期部分を変調して、復調しても同様な効果を得ることができる。その上、半波毎のゼロクロス点近傍で１ビットのデータを変調しているが、設定時間を区切ることにより複数のビットデータを変調させて、復調しても同様な効果を得ることができる。
【００３１】
このＬＥＤ照明制御システム１００の動作により、簡易な回路の構成で複数のＬＥＤ照明装置を制御し、従来の配線を利用することができ、通常の照明装置を同時に使用することができるＬＥＤ照明制御システムを提供することができる。
また、交流電力の制御信号４０により変調された変調交流電力を一定の間隔で確認して制御することができるので、制御信号の変化に即応した制御をすることができる。
【００３２】
今回は、調光制御の場合を説明したが、例えばＬＥＤ照明装置のＯＮ／ＯＦＦや、調色制御等のＬＥＤ照明装置の場合や、調光制御と調色制御を一緒に行う制御等にも適用することが可能で、幅広くＬＥＤ照明装置の制御に用いることができる。
また、本ＬＥＤ照明制御システム１００は、変調・復調をゼロクロス点近傍からの時間で実施しているので、交流電力の周波数が５０Ｈｚ／６０Ｈｚの場合においてもそのまま対応が可能なＬＥＤ照明制御システムとなり、実施地域ごとにシステムを変更する必要がなく実施することができる。
【００３３】
さらに、本実施形態のＬＥＤ照明装置では、ＬＥＤ素子として説明しているが、このＬＥＤ素子は複数のＬＥＤ素子から構成されているＬＥＤランプとしても良く、特にこれに限定するものではない。例えば、外観が環形状やＵ字形状でもよく、更に複数本のランプを並列接続させた構成にしてもよい。なお、操作パネルを既存の調光器や調光センサに変更して、ＬＥＤ照明制御システムを構成しても対応することが可能である。
【００３４】
以上のように、本実施形態では、制御信号に基づき交流電力を変調して送電する制御ユニットと、ＬＥＤ照明装置が交流電力線で送りまたは並列に接続され、復調した信号に基づき制御されるＬＥＤ照明装置からなるＬＥＤ照明制御システムが構成されている。
これらによって、簡易な回路の構成で複数のＬＥＤ照明装置を制御し、従来の配線を利用することができ、通常の照明装置を同時に使用することができるＬＥＤ照明制御システムを提案している。
また、交流電力の制御信号により変調された変調交流電力を一定の間隔で確認して制御することができるので、制御信号の変化に即応した制御をすることができるＬＥＤ照明制御システムを提案している。
【００３５】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なしえるであろう各種変形、修正もまた本発明に含まれる。
【産業上の利用可能性】
【００３６】
本発明は、ショールームやホール、更に、会議室や事務所の各居室等の天井面に沿って設置されるＬＥＤ照明装置のＬＥＤ照明制御システムとして、広く適用することができる。
【符号の説明】
【００３７】
１０：商用電源
２０：壁スイッチ
３０：変調ユニット
３０ａ：変調回路
３０ｂ：操作パネル
４０：制御信号
５２：ＬＥＤ照明装置Ａ
５２ａ：入力端子
５２ｂ：送り端子
５５：ＬＥＤ照明装置Ｂ
５５ａ：入力端子
５６：照明装置
６０：復調回路
６０ａ：制御信号
７０：点灯回路
７０ａ：整流回路
７０ｂ：力率改善回路
７０ｃ：ＬＥＤ駆動回路
８０：ＬＥＤ素子
１００：ＬＥＤ照明制御システム
【図１】
2015128034.tif 000003
【図２】
2015128034.tif 000004
【図３】
2015128034.tif 000005
【図４】
2015128034.tif 000006
【図５】
2015128034.tif 000007
【図６】
2015128034.tif 000008
【図７】
2015128034.tif 000009
【図８】
2015128034.tif 000010